(57)【要約】      （修正有）【課題】流体などを密封するスライドファスナーを提供する。【解決手段】２つの隣接細片１２の対向するエッジ１２ａに付随してスライド可能であり、それらを密封するために与えられるスライダー１５と、前記スライダーが密封の際に移動可能に係合する上部ストップ１６とを含むタイプの流体密封スライドファスナー１０であって、前記上部ストップ及びスライダーでは、上部ストップ−スライダーの係合において、各手段及び対手段が、適合して形成するクリアランス再生テーパーフィットを与えることを特徴とする流体密封スライドファスナー。【選択図】図１
2008284358.tif 000002
【特許請求の範囲】
【請求項１】
２つの隣接細片（１２）の対向するエッジ（１２ａ）に付随してスライド可能であり、それらを密封するために与えられるスライダー（１５）と、
前記スライダー（１５）が密封の際に移動可能に係合する上部ストップ（１６）とを含むタイプの流体密封スライドファスナー（１０）であって、
前記上部ストップ（１６）及びスライダー（１５）では、上部ストップ（１６）−スライダー（１５）の係合において、各手段（１９、２１）及び対手段（４６、４７）が、適合して形成するクリアランス再生テーパーフィットを与えることを特徴とする流体密封スライドファスナー。
【請求項２】
クリアランス再生テーパーフィットを形成するために適合する前記手段（１９、２１）及び対手段（４６、４７）は、上部ストップ（１６）及びスライダー（１５）にそれぞれ一体的に形成されることを特徴とする請求項１のスライドファスナー。
【請求項３】
クリアランス再生テーパーフィットを形成するために適合する前記手段（１９、２１）及び対手段（４６、４７）は、上部ストップ（１６）上に形成された傾斜面を有する少なくとも１つのセクション（１９、２１）と、スライダー（１５）中に形成された傾斜表面を有する少なくとも１つの対セクション（４６、４７）を含むことを特徴とする請求項１又は２のスライドファスナー。
【請求項４】
上部ストップ（１６）は前記細片（１２）に対して外周で密封されたプラスチック材料のブロックを含み、該ブロックは、一対の対向するアーム（１８）に連結されたヘッド部（１９）を含み、該アーム（１８）及びヘッド部（１９）は、スライダー（１５）のダイヤモンド形状（４０）のための基底部（５０）を形成することを特徴とする請求項１又は２のスライドファスナー。
【請求項５】
前記ヘッド部（１９）は対向する傾斜表面を有し、各アーム（１８）は対向する傾斜表面セクション（２１）を有することを特徴とする請求項４のスライドファスナー。
【請求項６】
ヘッド部（１９）は各アーム（１８）の前記セクション（２１）よりも大きな傾斜を有することを特徴とする請求項６のスライドファスナー。
【請求項７】
ヘッド部（１９）は、対称は水平面に対して、５°〜２５°、好ましくは１０°〜１５°の範囲の角度の傾斜を有し、アーム（１８）の各セクション（２１）は、８°未満、好ましくは２°〜６°の範囲の角度の傾斜を有することを特徴とする請求項６のスライドファスナー。
【請求項８】
アーム（１８）の各セクション（２１）は、上部ストップ（１６）のフロントエンド（２２）に向かって好ましくは増加する角度にともなって、可変の角度の傾斜を有することを特徴とする請求項６又は７のスライドファスナー。
【請求項９】
スライダー（１５）は、中間ダイヤモンド形状（４０）によってそれぞれ間隔をあけて相互に連結され、上部ストップ（１６）のための基底部（４５）を一体的に形成する上方エレメント（４２）及び下方エレメント（４３）を含むことを特徴とする請求項８のスライドファスナー。
【請求項１０】
スライダー（１５）は、上下方エレメント（４２、４３）のそれぞれに形成された、第１傾斜表面セクション（４６）とそれに続く２つの対向する第２傾斜表面セクション（４７）を含むことを特徴とする請求項９のスライドファスナー。
【請求項１１】
上下方エレメント（４２、４３）のそれぞれのために、第１セクション（４６）は第２対向セクション（４７）よりも大きな傾斜を有することを特徴とする請求項１０のスライドファスナー。
【請求項１２】
スライダー（１５）の上下方エレメント（４２、４３）の各第１セクション（４６）は、上部ストップ（１６）のヘッド部（１９）の対向傾斜表面の一方と一致し、一方、上下方エレメント（４２、４３）各第２傾斜セクション（４７）は、上部ストップ（１６）のアーム（１８）の一方の各傾斜セクションに一致することを特徴とする請求項１０又は１１のスライドファスナー。
【請求項１３】
ダイヤモンド形状は、スライダー（１５）のフロントエンド（１５ａ）に対する後方位置に存在することを特徴とする請求項１０〜１２のいずれか１つのスライドファスナー。
【請求項１４】
上部ストップ（１６）のアーム（１８）は、それぞれ外部に向かう付属部（２５）を有し、該付属部（２５）は、上部ストップ（１６）のスライダー（１５）への係合の間、スライダー（１５）の基底部（４５）の側壁（５１）によってガイドされ、完全な係合の際、実質的にそれぞれに対して隣接することを特徴とする請求項１０〜１４のいずれか１つのスライドファスナー。
【請求項１５】
２つの隣接細片（１２）の対向するエッジ（１２ａ）に付随してスライド可能であり、それらを密封するために与えられるスライダー（１５）と、
前記スライダー（１５）が移動可能に２つの隣接細片（１２）の対向エッジ（１２ａ）に係合して密封を与え、密封の際に上部ストップ（１６）と移動可能に係合するタイプの流体密封スライドファスナーのスライド（１５）用上部ストップ（１６）であって、
前記上部ストップ（１６）は、上部ストップ（１６）−スライダー（１５）の係合において、スライダー（１５）に形成された各対手段（４６、４７）とともに、適合して形成するクリアランス再生テーパーフィットを与え、好ましくは一体的に形成された手段（１９、２１）を含むことを特徴とする上部ストップ。
【請求項１６】
前記手段は、上部ストップ（１６）−スライダー（１５）の係合において、クリアランス再生テーパーフィットを形成するために一致する少なくとも１つに傾斜表面セクション（１９、２１）と、スライダー（１５）に形成された少なくとも１つの各対傾斜表面セクション（４６、４７）とを含むことを特徴とする請求項１５の上部ストップ。
【請求項１７】
前記細片（１２）に対して外周で密封されたプラスチック材料のブロックを含み、該ブロックは、一対の対向するアーム（１８）に連結されたヘッド部（１９）を含み、該アーム（１８）及びヘッド部（１９）は、スライダー（１５）のダイヤモンド形状（４０）のための基底部（５０）を形成することを特徴とする請求項１５又は１６の上部ストップ。
【請求項１８】
前記ヘッド部（１９）は対向する傾斜表面を有し、各アーム（１８）は対向する傾斜表面セクション（２１）を有することを特徴とする請求項１７の上部ストップ。
【請求項１９】
ヘッド部（１９）は各アーム（１８）の前記セクション（２１）よりも大きな傾斜を有することを特徴とする請求項１７又は１８の上部ストップ。
【請求項２０】
ヘッド部（１９）は、対称は水平面に対して、５°〜２５°、好ましくは１０°〜１５°の範囲の角度の傾斜を有し、アーム（１８）の各セクション（２１）は、８°未満、好ましくは２°〜６°の範囲の角度の傾斜を有することを特徴とする請求項１９の上部ストップ。
【請求項２１】
スライダー（１５）は、２つの隣接細片（１２）の対向するエッジ（１２ａ）に付随してスライド可能であり、それらを密封するために与えられ、密封の際に上部ストップ（１６）と移動可能に係合するタイプの流体密封スライドファスナーのスライダー（１５）であって、
上部ストップ（１６）−スライダー（１５）の係合において、前記上部ストップ（１６）に形成された各手段（１９、２１）とともに、適合して達成するクリアランス再生テーパーフィットを与え、好ましくは一体的に形成された手段（１９、２１）を含むことを特徴とするスライダー。
【請求項２２】
対手段は、上部ストップ（１６）−スライダー（１５）の係合において、上部ストップ（１６）上の少なくとも１つの各対傾斜表面セクション（１９、２１）とともに、クリアランス再生テーパーフィットを形成する少なくとも１つの傾斜表面セクション（４６、４７）を含む請求項２１のスライダー。
【請求項２３】
中間ダイヤモンド形状（４０）によってそれぞれ間隔をあけて相互に連結され、上部ストップ（１６）のための基底部（４５）を一体的に形成する上方エレメント（４２）及び下方エレメント（４３）を含むことを特徴とする請求項８のスライダー。
【請求項２４】
上下方エレメント（４２、４３）のそれぞれに形成された、第１傾斜表面セクション（４６）とそれに続く２つの対向する第２傾斜表面セクション（４７）を含むことを特徴とする請求項２３のスライダー。
【請求項２５】
上下方エレメント（４２、４３）のそれぞれのために、第１セクション（４６）は第２対向セクション（４７）よりも大きな傾斜を有することを特徴とする請求項２４のスライダー。
【請求項２６】
スライダー（１５）の上下方エレメント（４２、４３）の各第１セクション（４６）は、上部ストップ（１６）のヘッド部（１９）の対向傾斜表面の一方と一致し、一方、上下方エレメント（４２、４３）各第２傾斜セクション（４７）は、上部ストップ（１６）のアーム（１８）の一方の各傾斜セクションに一致することを特徴とする請求項２４又は２５のスライダー。
【請求項２７】
ダイヤモンド形状は、スライダー（１５）のフロントエンド（１５ａ）に対する後方位置に存在することを特徴とする請求項２３〜２６のいずれか１つのスライダー。
【発明の詳細な説明】
【技術分野】
【０００１】
本発明は、最も一般的な観点では、カーソル（それらを閉鎖する２つの隣接細片の対向するエッジにスライド可能に連結）が、上部ストップでの閉鎖において、移動可能に係合される流体密封スライドファスナーに関する。
特に、本発明はいわゆる流体密封タイプのスライドファスナーに関し、閉鎖した後に、また、相当の圧力を付した際に、流体、特に水及び空気に対して実質的に不浸透性を確実にすることができる。
また、本発明は、上述のタイプのスライドファスナー用の上部ストップ及びスライダーに関する。
【０００２】
以下の説明では、用語「流体密封」又は「防水」は、スライドファスナーが相当の圧力差、特に２バールオーダーにおいてスライドファスナーの外側及び内側の間の圧力差にさらされた際、液体及び／又はガス、水及び空気の通過を阻止するために、スライドファスナー又はそれらの部品の能力を指す。
【背景技術】
【０００３】
よく知られているように、スライドファスナーの外側及び内側の間で、特に、相当の圧力差の存在下で、特に水及び空気の通過を阻止することが必要な場合に、上述のタイプの流体密封スライドファスナー（又は防水ファスナー）は、多くの異なるスポーツアイテムで、例えば、ウェットスーツのような屋外活動又はダイビングもしくはセーリング、キャンプテント等のために広く使われている。
そのようなスライドファスナーにおいて、２つの隣接細片の閉鎖は、上部ストップの方へのスライダーの移動で決定された、適当な閉鎖部品、通常、細片の対向する長手のエッジ部にそってライン状に配置された歯の相互の噛合によって行われている。
【０００４】
さらに、上述のタイプのスライドファスナーは、そのファスナー開閉操作が完了した場合、通常それらの対向端部に、移動可能にスライダーを係合させるために構成された、それぞれのエンドストップを備えている。
上述のエンドストップは、通常、上部ストップ及び下部ストップと呼ばれ、そのような名前を以下の説明で用いる。
【０００５】
スライドファスナーの閉鎖を完全に流体密封するために、それを構成している隣接細片の密封結合及びスライダーと下部ストップとの間の密封結合のみならず、スライダーと上部ストップとの間の完全な密封結合を達成することが必要である。
【０００６】
よく知られていているように、先行技術のスライドファスナーは、良好な精度で形成されている場合であっても、これらの構成部品の生産において通常許容されるサイズ耐性のために、上部ストップとスライダーとの間の係合は、常に必ずしも必要な密封を確保していない。
【０００７】
そのような欠点を解決するために、先行技術は、一種の機械式シール（「強制結合」（又は圧力結合））を製造するために、通常、上部ストップの平坦部分に形成され、スライダーの対応する平坦部分と接触することを目的とするリブの形成を提案している。
にもかかわらず、良好に設計され、製造されても、そのようなリブは、オリジナルの「密封」をキャンセルするクリアランスの形成に伴って、急速、不可避な磨耗にさらされる。
【０００８】
密封を確実にするための先行技術によって提案されている他の解決策は、上部ストップとスライダーとの間に入れる密封材料、特に、グリースの使用を提案している。
それでもなお、そのような材料は、スライドファスナーの使用中に容易に除去され、必要な流体封止の形成が、すぐに及び徐々になくなり、さらに、それらは、スライドファスナー又はスライドファスナーが使用される製品を汚し、ほこりを集める。
【０００９】
発明の要旨
本発明の基礎をなしている技術的問題は、先行技術について上述の欠点を解決するために、長期間の使用の後及び強いストレス下でさえも、完全な閉鎖の際の相互の結合時に、最適な密閉を確保するような構造的及び機能的特性を有するスライドファスナーを考案し、効率的に製造することである。
【００１０】
本発明によれば、各手段及び対手段が、ストップ−スライダー係合、クリアランス再生を伴うテーパーフィット、いわゆるクリアランス−再生ウェッジを形成するようなスライダー及び上部ストップを提供することを特徴とする、考え抜かれたタイプの流体密閉スライドファスナーによって、そのような問題が解決される。
好ましくは、クリアランス再生を伴うテーパーフィットを形成するために適用されたそのような手段及び対手段は、それぞれ、上部ストップ及びスライダーに一体的に形成される。
【００１１】
好ましくは、クリアランス再生を伴うテーパーフィットを形成するために適用されたそのような手段及び対手段は、上部ストップに形成された傾斜表面を有する少なくとも１つのセクション及びスライダーに形成された少なくとも１つの一致する傾斜表面を含む。
特に、上述した結合手段及び対手段が存在する本発明によれば、これらの構成部品の不可避の製造ばらつき及び／又はスライダーファスナの長期間にわたる使用に由来する磨耗に対して、上部ストップとスライダーとの間のクリアランスの有効な再生を得、上部ストップとスライダーとの間の必要な流体密封を長期に及んで確実にし、これらの全ては簡便かつ持続的に得られる。
【００１２】
また、本発明は、ストップ−スライダーの完全な係合において、クリアランス−再生のテーパフィット、いわゆるクリアランス再生ウェッジを形成するために適用される各手段及び対手段を含むことを特徴とする上述したタイプのスライドファスナー用の上部ストップ及びスライダーに関する。
【００１３】
添付の図面に関して非制限的に示したように、本発明のさらなる特性及び長所は、好ましい実施形態の以下の説明から明白である。
【発明を実施するための最良の形態】
【００１４】
図１〜３によれば、本発明の防水スライドファスナーの全体を１０で示す。
防水スライドファスナー１０は、実質的に互いに平行で隣接する一対の細片１２を含み、それぞれは、その細片１２の長手方向のエッジ１２ａにそれぞれ対向する部位に沿って配列された閉鎖部材１４の列１３を有する。
【００１５】
細片１２は、抵抗性で、同時に柔軟性である防水材料によって形成され、特に、それらは、通常、テキスタイル材料のコアと、押出成形又は積層技術によってテキスタイル材料に適用された防水材料（通常、熱可塑性弾性材料）の被覆とを含む積層複合体から形成される。
【００１６】
閉鎖部材は、この実施例においては、防水材料、通常、適当な硬度を有する熱可塑性材料で形成された歯１４によって構成され、それは、通常の射出成形技術で細片に気密に固定されている。
【００１７】
さらに、スライドファスナーは、細片１２の歯１４を流体係合又は離脱するための歯１４の列１３に沿ってスライド可能なスライダー１５と、歯１４の流体密封係合方向におけるスライダー１５の移動のための上部ストップ１６と、歯１４の離脱方向におけるスライダー１５の移動のための対向する下部ストップ（図示せず）とを含む。
【００１８】
上部ストップ１６及び対向する下部ストップは、従来の方法、例えば、射出成形技術によって、歯１４の列の上下端部にごく接近して、それぞれ細片１２に密着されている。さらに、細片１２は、上部ストップ１６と細片１２の上端部との間、下部ストップと細片の下端部との間に配列されたそれぞれ長手方向のエッジ１２ａの部位に沿って、互いに密着されている。この実施例では、これは、細片の長手方向のエッジ１２ａで、上部ストップ１６と細片１２の上端部との間に延長した防水材料の被覆１２ｂによって形成されている。図示していないが、同様のタイプの被覆が、下部ストップと細片の下端部との間に適用することができる。
【００１９】
この実施形態では（図４及び図５）、上部ストップ１６はプラスチック材料のブロックからなり、２つの対向するアーム１８に連結されたヘッド部１９を含む。上部ストップ１６は、さらに、ヘッド部１９の端部２２で一体的に形成され、それらの上下部に延長した肩部２０を有する。肩部２０は、実質的に、美的価値を有しており、存在させる必要はない。
【００２０】
都合のよいことに、以下により詳細に示されるように、対向するアーム１８を伴うヘッド部１９は、スライダー１５のダイヤモンド形４０のハウジングのための基底部５０を形成するように適切に形づくられており、その基底部５０は、ダイヤモンド形４０（また、セクタージャーゴンの心臓の形態として知られている）のそれに実質的に相補的な形状を有している。
【００２１】
具体的には、上部ストップ１６を組み立てているプラスチック材料のブロックでは、２つの部分に区別でき、詳細には、上方部１６ａと下方部１６ｂである。それらは上部ストップのセンターラインを貫通する水平面に対して実質的に対称である。そのセンターラインのゾーンに対応して、上方のゾーン１６は、射出成形のような従来技術によって、細片１２の外周部において封止されている。例えば、図４ｄに示したように、上部ストップ１６を組み立てている材料は、その材料からなる、その上を被覆するシールを形成するために、シールを細片１２の結合部位を含む適当な型に射出することができる。このように、発明のスライドファスナー１０の使用いおいて、上部ストップ１６の一方、例えば、上方部位１６ａは、スライドファスナー１０が付着する繊維の外側に向けて回転し、一方、その部位の他方、例えば、下方部位１６ｂは、繊維の内側に向かって回転するであろう。
【００２２】
本発明の一観点によれば、ヘッド部１９の対向する表面は傾斜し、よって、ショルダー２０（あるいは、ショルダー２０がなければ、フリーエンド２２）に向けて屈曲したフロントエンド２２で終端する一種の傾斜面を形成し、一方、アーム１８のそれぞれは、ヘッド部１９に連結された傾斜表面を有する２つの対向部位２１を有し、内側からそれぞれのアーム１８の外側に向かって延びる一種の傾斜面を形成する。
【００２３】
それぞれのアーム１８の傾斜表面部位２１は屈曲し、続いて、後述するように、上部ストップ１６−スライダー１５結合上のダイヤモンド形４０をハウジングする基底部５０を塞ぐように、順次、実質的に平面で表面を覆う各セクション２３がある。
好ましくは、ヘッド部１９は、上部ストップ１６のブロック１６ａと１６ｂのそれぞれにおいて、各アーム１８のセクション２１のそれより大きな傾斜を有している。
【００２４】
特に、本発明の好ましい実施形態によれば、水平対称面に対して、ヘッド部１９は、５°〜２５°の角度の傾斜を有し、一方、アーム１８の各セクション２１は、８°未満の角度の傾斜を有している。
好ましくは、アーム１８の各セクション２１の傾斜は、上部ストップ１６のフロントエンド２２に向かって大きくなるような角度で変化することができる。
本発明の特に好ましい実施形態によれば、水平対称面に対して、ヘッド部１９は、１０°〜１５°の角度の傾斜を有し、一方、アーム１８の各セクション２１は、２°〜６°の角度の傾斜を有している。
【００２５】
上部ストップ１６において、アーム１８は、さらに、各アーム１８の端部にそれぞれ形成された、それぞれ対向する付属部２５を有し、その付属部２５は、その拡張部として、各アーム１８から外方及び下方に延長している。
都合のようことに、対向する付属部の一方は、上部ストップに最も近い歯１４ａに向かって屈曲した凹部２６を有し、その凹部は、細片１２の完全な閉鎖において、対応する対向歯１４と結合しない歯１４のヘッド部１４ｂと一致する形状を有する。
【００２６】
本発明の他の観点によれば（図６〜図１０）、スライダー１５は、上部エレメント４２と、ダイヤモンド形状４０を挟んで互いに間隔をあけて相互に結合された下部エレメント又は底部４３とを有する。スライダー１５には示していないが、上部エレメント４２上に、スロット部４４が引き部の係合のために形成されている。
【００２７】
内部では、上下エレメント４２、４３は、ダイヤモンド形状４０のウェッジ部４０ａとともに、端部の到達点において上部ストップと結合するために、従来法における相互作用による歯の係合又は離脱を決定するために、ダイヤモンド形状４０とともに、スライダー１５のスライディングの間、歯１４の通過のための実質的にＹ字形状部を有する基底部４５を規定している。
【００２８】
本発明によれば、上下エレメント４２、４３は、それぞれ内部に、スライダー１５のフロントエンド１５ａから開始する傾斜表面を有する第１部位４６と、その後に続いて第１部位４６に連結して傾斜表面を有する第２対向部位４７を有する。
【００２９】
さらに、ダイヤモンド形状４０は、ストップ／スライダーテーパーフィットを助長し、スライダーのフロント部における相対密閉を増大させるために、スライダー１５のフロントエンド１５ａに対して後方位置に存在することが好ましい。加えて、そのような後方係合によって、有利にも、歯の入口のための大きなオープニングを得ることができ、スライダー１５の内側へそれらが入ることを助長し、その結果としてスライドファスナー１０の密閉スライド性を向上させる。
好ましくは、エレメント４２、４３のそれぞれに対して、第１部位４６は、第２対向部位４７のそれよりも大きな傾斜を有している。
【００３０】
より詳細には、本発明によれば（図１１〜図１４）、各上下エレメント４２又は４３の各第１部位４６は、上部ストップ１６のヘッド部１９の対向する傾斜表面に一方と一致し、一方、各上下エレメント４２又は４３の各第２傾斜部位４７は、上部ストップ１６のアーム１８の一方の各傾斜部位２１と一致している。
そのような場合、スライダー１５と上部ストップ１６との間の完全な結合において、クリアランス再生テーパーフィット、いわゆるクリアランス再生ウェッジが達成され、それによって、スライダー１５と上部ストップ１６との間の有効で耐久性のある液体密封を維持することができる。
【００３１】
また、上部ストップ１６の基底部４５における異なる傾斜を有する部位の存在によって、射出成形によって単一部品でスライダー１５を形成することができ、有利にも、分離部品の組み合わせに由来する液体密封問題のリスクを回避することができる。
【００３２】
スライドファスナー１０の機能について（図１５〜図２１）、歯１４の部分的な又は全体的な離脱の位置から始めると、スライダー１５は、相対引き部の助けによって、歯１４の列１３に沿ってスライドし、それによって、各列１３の対向する歯１４の間で係合が行われる。
これは、スライダー１５の適当な基底部４５におけるダイヤモンド形状４０のウェッジ部４０ａと対向する歯１４との相互作用によって従来法で行われる。
【００３３】
一旦、歯１４が係合すると、スライダー１５の上部ストップ１６に向かうさらなる前進が、平坦な表面部位２３において、ダイヤモンド形状４０によってアーム１８のオープニングをもたらし（図１５）、同時にアーム１８はスライダー１５の基底部４５においてそれらを挿入し始める。
【００３４】
スライダー１５の基底部４５へのアーム１８の挿入は、アーム１８の付属部２５と相互作用して、有利にも、基底部４５の側壁５１（又はスライダー１５の上下エレメント４２、４３の内部側壁５１）によってガイドされ続け、同時に、ダイヤモンド形状４０が、上部ストップ１６の各基底部５０においてそれらを挿入する（図１６〜図２０）。
【００３５】
フロントエンド１５ａから内部に向かってスライダー１５の基底部４５が狭くなるために、アーム１８の付属部２５は、スライダー１５における上部ストップ１６の挿入の間、それらが実質的に互いに隣接するまで、連続的に内部に向かって、有利にも押し付けられる。完全な挿入によって、各端部２４で互いに対するアーム１８の隣接が決定される。
【００３６】
さらに、完全な挿入によって（図２１）、上部ストップのヘッド部１９は、各対向傾斜表面によって、スライダー１５の上下エレメント４２、４３の第１傾斜部位４６にそれぞれ結合し、一方、上部ストップ１６のアーム１８は、各傾斜部位２１で、スライダー１５の上下エレメント４２、４３の第２傾斜部位４７に結合する。そのような上部ストップ１６とスライダー１５との一致部位での結合は、クリアランス再生を有するテーパーフィット、いわゆるクリアランス再生ウェッジを形成し、それは有利にも、有効で耐久性のある流体密封を維持させることができる。
【００３７】
本発明の他の関連によれば、上部ストップは、十分柔軟で柔らかい熱可塑性材料で形成されており、また、細片１２の防水被覆材料と適合性があり、基底部５０におけるダイヤモンド形状４０の挿入の間、アーム１８のオープニングを容易にするためのみならず、互いにそれらが隣接する際、各フリーエンド２４で、スライダー１５の側壁の押し付けによって生じるアームの若干の平坦化を容易にする。
好ましくは、熱可塑性材料としては、軟質ポリウレタンが挙げられる。
【００３８】
さらに、スライドファスナー１０は、スライドファスナー１０のオープニングのために望まれるそれらと異なる外力のために、わずかでも引き戻すことを避けるために上部ストップ１６における停止位置においてスライダー１５のロックを確保する手段が与えられていてもよい。そのような手段は、それ自体従来のものであり、よって、ここで示さない適当なアンカリング・システムによって形成することができる。
【００３９】
図２２ａ及び図２２ｂは、それぞれ本発明のさらなる実施形態によるスライドファスナーの詳細を示す。より詳細には、図２２ａでは、上部ストップ１６はダイヤモンド形状４０の基底部５０に向かう内周セクションに沿って延長したガスケット（又は隔膜）６０を有する。上部エンドへの広がりにおいて、そのようなガスケット６０は、スライダー１５の基底部４５と相互に作用し、スライダー１５と上部ストップ１６との間における流体密封のさらなる向上を可能にする。
【００４０】
さらに図２２ｂでは、細片１２に対する上部ストップ１６の密封システムが示されており、上部ストップ１６の上方部位１６ａ及び下方部位１６ｂは細片１２の結合部位の対向表面において密封されており、細片１２の結合部位を通るセクション６１によってともに結合されている。これは、細片の結合部位にスルーホールを形成し、次いで細片１２の穴があいた結合部位を含む適当な金型中に上部ストップ１６を形成する材料を射出することによって形成することができ、これによって、その上に密封被覆を形成することができる。
【００４１】
上記利点に加え、本発明のスライドファスナーは、作製するために簡便で経済的であり、大量生産を可能にすることに留意すべきである。
もちろん、特有及びそれに付随する必要を満たすために、当業者は、上述したスライドファスナーに種々の改変及び変化を加えることができ、その全ては請求項によって規定されるように、本発明の保護範囲に含まれる。例えば、上部ストップのアームは、平坦表面部位を欠いていてもよいし、対応するスライダーの傾斜一致表面にフィットするテーパのために１以上の傾斜表面を有していてもよい。さらに、上部ストップ１６は、スライダーのエンド部位に上部ストップ１６とスライダー１５との間の密封を増大させるために、好ましくは平坦部位に、表面リブが与えられていてもよい。
【図面の簡単な説明】
【００４２】
【図１】本発明のスライドファスナーの透視図を示す。
【図２】図１のスライドファスナーの側面図を示す。
【図３】図２のＡ−Ａ線の面に沿う図１のスライドファスナー部分の断面図を示す。
【図４】図１のスライドファスナーの上部ストップの透視図を示す。
【図４ａ】図４のＡ−Ａ線の面に沿う上部ストップの断面図を示す。
【図４ｂ】図４のＢ−Ｂ線の面に沿う上部ストップの断面図を示す。
【図４ｃ】図４のＣ−Ｃ線の面に沿う上部ストップの断面図を示す。
【図４ｄ】スライドファスナーの細片を伴った図４ａと同様の断面図を示す。
【図５】図１のスライドファスナーの上部ストップの長手方向の断面図である。
【図６】図１のスライドファスナーのスライダーの側面図である。
【図７】図６のＡ−Ａ線の面に沿うスライダーの断面図である。
【図８】図６のＢ−Ｂ線の面に沿うスライダーの断面図である。
【図９】図６のスライダーの詳細を示す透視図である。
【図１０】図６のスライダーの詳細を示す断面図である。
【図１１】互いに結合した本発明のスライダー及び上部ストップの長手方向の断面図である。
【図１２】互いに結合した本発明のスライダー及び上部ストップの断面図である。
【図１３】互いに結合した本発明のスライダー及び上部ストップの透視図である。
【図１４】互いに結合した本発明のスライダー及び上部ストップの断面図である。
【図１５】相互に結合した段階における本発明の対応スライダーの上部ストップと下方エレメントを示す図１のスライドファスナーの詳細を示す。
【図１６】相互に結合した段階における本発明の対応スライダーの上部ストップと下方エレメントを示す図１のスライドファスナーの詳細を示す。
【図１７】相互に結合した段階における本発明の対応スライダーの上部ストップと下方エレメントを示す図１のスライドファスナーの詳細を示す。
【図１８】相互に結合した段階における本発明の対応スライダーの上部ストップと下方エレメントを示す図１のスライドファスナーの詳細を示す。
【図１９】相互に結合した段階における本発明の対応スライダーの上部ストップと下方エレメントを示す図１のスライドファスナーの詳細を示す。
【図２０】相互に結合した段階における本発明の対応スライダーの上部ストップと下方エレメントを示す図１のスライドファスナーの詳細を示す。
【図２１】相互に結合した段階における本発明の対応スライダーの上部ストップと下方エレメントを示す図１のスライドファスナーの詳細を示す。
【図２２ａ】本発明のさらなる実施形態によるスライドファスナーの詳細を示す断面図である。
【図２２ｂ】本発明のさらなる実施形態によるスライドファスナーの詳細を示す断面図である。説明を簡単にするために、図４、４ａ、４ｂ、４ｃ及び５〜２１では、本発明の上部ストップとスライダーそれ自体を示すか、スライドファスナーの残りの部品、特に細片と分離した。
【手続補正書】
【提出日】平成20年7月22日(2008.7.22)
【手続補正１】
【補正対象書類名】図面
【補正対象項目名】全図
【補正方法】追加
【補正の内容】
【図１】
2008284358.tif 000003
【図２】
2008284358.tif 000004
【図３】
2008284358.tif 000005
【図４】
2008284358.tif 000006
【図４ａ】
2008284358.tif 000007
【図４ｂ】
2008284358.tif 000008
【図４ｃ】
2008284358.tif 000009
【図４ｄ】
2008284358.tif 000010
【図５】
2008284358.tif 000011
【図６】
2008284358.tif 000012
【図７】
2008284358.tif 000013
【図８】
2008284358.tif 000014
【図９】
2008284358.tif 000015
【図１０】
2008284358.tif 000016
【図１１】
2008284358.tif 000017
【図１２】
2008284358.tif 000018
【図１３】
2008284358.tif 000019
【図１４】
2008284358.tif 000020
【図１５】
2008284358.tif 000021
【図１６】
2008284358.tif 000022
【図１７】
2008284358.tif 000023
【図１８】
2008284358.tif 000024
【図１９】
2008284358.tif 000025
【図２０】
2008284358.tif 000026
【図２１】
2008284358.tif 000027
【図２２ａ】
2008284358.tif 000028
【図２２ｂ】
2008284358.tif 000029
【外国語明細書】
2008284358000001.pdf